(57)【要約】【課題】製作コストや作業手間を抑えた新規な構成の開口部装置の改装用枠構造、及び、改装方法について提案する。【解決手段】建物の開口部１２に設けられた既設枠体４に対し、改装用の改装枠体２を取り付け固定するための開口部装置の改装用枠構造１であって、改装枠体２を構成する少なくとも一つの改装枠材（改装縦枠材２１）の外周面２１ａと、外周面２１ａと対向する既設枠体４の既設枠材（既設縦枠材４１）の見込部４１ｂとの間に形成される隙間５には、改装縦枠材２１の既設縦枠材４１に対する配設角度を調整するためのスペーサー部材５１が挟装され得るものであり、改装縦枠材２１は、隙間５を室外側８に開放させる開放部６が形成される構成としており、改装枠体２を既設枠体４の内側に納めた状態において、隙間５に対し、開放部６を通して、スペーサー部材５１の挿入を可能とする。【選択図】図１
2010255331.tif 000002
【特許請求の範囲】
【請求項１】
建物の開口部に設けられた既設枠体に対し、改装用の改装枠体を取り付け固定するための開口部装置の改装用枠構造であって、
前記改装枠体を構成する少なくとも一つの改装枠材の外周面と、前記外周面と対向する前記既設枠体の既設枠材の見込部との間に形成される隙間には、
前記改装枠材の前記既設枠材に対する配設角度を調整するためのスペーサー部材が挟装され得るものであり、
前記改装枠材は、前記隙間を少なくとも室内側、又は、室外側の一方に開放させる開放部が形成される構成としており、
前記改装枠体を前記既設枠体の内側に納めた状態において、前記隙間に対し、前記開放部を通して、前記スペーサー部材の挿入を可能とする、開口部装置の改装用枠構造。
【請求項２】
前記開放部を覆い隠すためのカバー部材が、前記改装枠材に固定される、
ことを特徴とする、請求項１に記載の開口部装置の改装用枠構造。
【請求項３】
前記カバー部材は、前記既設枠材の見込部に対して固定される、
ことを特徴とする、請求項２に記載の開口部装置の改装用枠構造。
【請求項４】
前記スペーサー部材は、略板状の部材とする、
ことを特徴とする、請求項１乃至請求項３のいずれか一項に記載の開口部装置の改装用枠構造。
【請求項５】
前記スペーサー部材は、切欠部を有し、前記切欠部に、前記改装枠材を前記既設枠材に固定するための固定部材の軸部が挿入される、
ことを特徴とする、請求項１乃至請求項４のいずれか一項に記載の開口部装置の改装用枠構造。
【請求項６】
建物の開口部に設けられた既設枠体に対し、改装用の改装枠体を取り付け固定するための開口部装置の改装方法であって、
前記改装枠体を、前記既設枠体にて形成される開口部に挿入する工程と、
前記改装枠体を構成する少なくとも一つの改装枠材の外周面と、前記外周面と対向する前記既設枠体の既設枠材の見込部との間に形成される隙間の開放部を通して、前記隙間に対してスペーサー部材を挿入する工程と、を有する、開口部装置の改装方法。
【請求項７】
前記開放部を覆い隠すためのカバー部材を、前記改装枠材に固定する工程を、さらに含む、
ことを特徴とする、請求項６に記載の開口部装置の改装方法。
【請求項８】
前記カバー部材は、前記既設枠材の見込部に対して固定される、
ことを特徴とする、請求項６に記載の開口部装置の改装方法。
【請求項９】
前記スペーサー部材は、略板状の部材とする、
ことを特徴とする、請求項６乃至請求項８のいずれか一項に記載の開口部装置の改装方法。
【請求項１０】
前記スペーサー部材は、切欠部を有し、前記切欠部に、前記改装枠材を前記既設枠材に固定するための固定部材の軸部が挿入される、
ことを特徴とする、請求項６乃至請求項９のいずれか一項に記載の開口部装置の改装方法。
【発明の詳細な説明】
【技術分野】
【０００１】
本発明は、建物の開口部に設けられるドアやサッシなど開口部装置を改装するための技術に関するものであり、より詳しくは、既設の開口部装置の枠を改装するための技術に関する。
【背景技術】
【０００２】
従来、建物の開口部に設けられる開口部装置を改装するための技術が数多く知られており、この開口部装置の既設の枠体（以下、「既設枠体」とする）に対して、改装用の枠体（以下、「改装枠体」とする）を後付けするとともに、この改装枠体に新たなドアなどを設けることで、開口部装置を改装する技術が知られている（特許文献１、２参照。）。
【０００３】
特許文献１に開示される技術では、既設枠体に下地部材（アンカー）をビス止めするとともに、この下地部材に対して室内側、室外側からそれぞれ改装枠体を固定する構成とするものである。
【０００４】
また、特許文献２に開示される技術では、既設枠体と改装枠体の間に、下地部材（外側下地金具）やスペーサーを配置することで、改装枠体の垂直度（縦枠材）や水平度（上枠、下枠）を設定できる構成とするものである。
【先行技術文献】
【特許文献】
【０００５】
【特許文献１】特許第３１９９２２８号明細書
【特許文献２】特許第４０１７９１８号明細書
【発明の概要】
【発明が解決しようとする課題】
【０００６】
しかし、特許文献１や特許文献２に開示される構成では、長尺の下地部材が必要となり、この下地部材の製作コストや作業手間がかかるという課題がある。
【０００７】
また、特許文献１や特許文献２に開示される下地部材やスペーサーは、改装枠体によって外側から覆い隠されるようにして配設されるため、縦枠材の垂直度などを調整する場合には、いったん取り付けた改装枠体を取外した上で、スペーサーの枚数などを変更し、再び改装枠体を取り付けて、垂直度などを計測し、調整し直さなければならなかった。
【０００８】
そこで、本発明は、以上の問題に鑑み、製作コストや作業手間を抑えた新規な構成の開口部装置の改装用枠構造、及び、改装方法について提案するものである。
【課題を解決するための手段】
【０００９】
本発明の解決しようとする課題は以上の如くであり、次にこの課題を解決するための手段を説明する。
【００１０】
即ち、請求項１に記載のごとく、
建物の開口部に設けられた既設枠体に対し、改装用の改装枠体を取り付け固定するための開口部装置の改装用枠構造であって、
前記改装枠体を構成する少なくとも一つの改装枠材の外周面と、前記外周面と対向する前記既設枠体の既設枠材の見込部との間に形成される隙間には、
前記改装枠材の前記既設枠材に対する配設角度を調整するためのスペーサー部材が挟装され得るものであり、
前記改装枠材は、前記隙間を少なくとも室内側、又は、室外側の一方に開放させる開放部が形成される構成としており、
前記改装枠体を前記既設枠体の内側に納めた状態において、前記隙間に対し、前記開放部を通して、前記スペーサー部材の挿入を可能とする、開口部装置の改装用枠構造とするものである。
【００１１】
また、請求項２に記載のごとく、
前記開放部を覆い隠すためのカバー部材が、前記改装枠材に固定される、こととするものである。
【００１２】
また、請求項３に記載のごとく、
また、前記カバー部材は、前記既設枠材の見込部に対して固定される、こととするものである。
【００１３】
また、請求項４に記載のごとく、
前記スペーサー部材は、略板状の部材とするものである。
【００１４】
また、請求項５に記載のごとく、
前記スペーサー部材は、切欠部を有し、前記切欠部に、前記改装枠材を前記既設枠材に固定するための固定部材の軸部が挿入される、こととするものである
【００１５】
また、請求項６に記載のごとく、
建物の開口部に設けられた既設枠体に対し、改装用の改装枠体を取り付け固定するための開口部装置の改装方法であって、
前記改装枠体を、前記既設枠体にて形成される開口部に挿入する工程と、
前記改装枠体を構成する少なくとも一つの改装枠材の外周面と、前記外周面と対向する前記既設枠体の既設枠材の見込部との間に形成される隙間の開放部を通して、前記隙間に対してスペーサー部材を挿入する工程と、
を有する、改装方法とするものである。
【００１６】
また、請求項７に記載のごとく、
前記開放部を覆い隠すためのカバー部材を、前記改装枠材に固定する工程を、さらに含む改装方法とするものである。
【００１７】
また、請求項８に記載のごとく、
前記カバー部材は、前記既設枠材の見込部に対して固定される、こととするものである。
【００１８】
また、請求項９に記載のごとく、
前記スペーサー部材は、略板状の部材とするものである。
【００１９】
また、請求項１０に記載のごとく、
前記スペーサー部材は、切欠部を有し、前記切欠部に、前記改装枠材を前記既設枠材に固定するための固定部材の軸部が挿入される、こととするものである。
【発明の効果】
【００２０】
本発明の効果として、以下に示すような効果を奏する。
【００２１】
即ち、請求項１に記載の発明においては、
隙間の状況を目視確認しながら、スペーサー部材を用いた改装枠体の配設角度の調整作業が可能であることから、作業性が良好なものとなり、改装作業を短時間で完了することができる。また、下地部材が不要であることから、この下地部材の製作コストや、取付作業の手間もかかることがない。
【００２２】
また、請求項２に記載の発明においては、
開放部が覆い隠されて、カバー部材による外観意匠を構成することが可能となる。
【００２３】
また、請求項３に記載の発明においては、
改装ドアを閉じた状態では、カバー部材を固定するための固定部材が外観に現れないため、カバー部材によって形成される意匠の美観が固定部材によって損なわれるという不具合がない。
【００２４】
また、請求項４に記載の発明においては、
適宜、利用するスペーサー部材の枚数を設定することで、現場の状況に応じて、改装枠体の配設角度の調整作業を容易に行うことが可能となる。
【００２５】
また、請求項５に記載の発明においては、
作業時において、スペーサー部材の挿入停止位置の規定や、スペーサー部材の落下を防止することが可能となる。
【００２６】
また、請求項６に記載の発明においては、
隙間の状況を目視確認しながら、スペーサー部材を用いた改装枠体の配設角度の調整作業が可能であることから、作業性が良好なものとなり、改装作業を短時間で完了することができる。また、下地部材が不要であることから、この下地部材の製作コストや、取付作業の手間もかかることがない。
【００２７】
また、請求項７に記載の発明においては、
開放部が覆い隠されて、カバー部材による外観意匠を構成することが可能となる。
【００２８】
また、請求項８に記載の発明においては、
改装ドアを閉じた状態では、カバー部材を固定するための固定部材が外観に現れないため、カバー部材によって形成される意匠の美観が固定部材によって損なわれるという不具合がない。
【００２９】
また、請求項９に記載の発明においては、
適宜、利用するスペーサー部材の枚数を設定することで、現場の状況に応じて、改装枠体の配設角度の調整作業を容易に行うことが可能となる。
【００３０】
また、請求項１０に記載の発明においては、
作業時において、スペーサー部材の挿入停止位置の規定や、スペーサー部材の落下を防止することが可能となる。
【図面の簡単な説明】
【００３１】
【図１】本発明の一実施例に係る改装用枠構造について示す図。
【図２】実施例１の構成について示す水平断面図。
【図３】（ａ）は、改装縦枠材を既設縦枠材に取り付ける手順について示す図。（ｂ）は、スペーサー部材を挿入する手順について示す図。（ｃ）は、カバー部材を取り付ける手順について示す図。
【図４】（ａ）は、スペーサー部材の一実施例について示す図。（ｂ）は、全体の断面を略三角形状とするスペーサー部材の構成例について示す図。（ｃ）は、挿入側の先端の断面を略三角形状とするスペーサー部材の構成例について示す図。
【図５】カバー部材の上部を改装上枠材にて塞ぐ構成について示す図。
【図６】改装枠材に切欠部を形設して、隙間にスペーサー部材を挿入する構成について示す図。
【図７】隅部材にて室内側の隙間を防ぐ構成について示す図。
【図８】（ａ）は、実施例２においてカバー部材を固定する前の状態について示す図。（ｂ）は、実施例２においてカバー部材を固定した状態について示す図。
【図９】（ａ）は、実施例３においてカバー部材を固定する前の状態について示す図。（ｂ）は、実施例３においてカバー部材を固定した状態について示す図。
【図１０】（ａ）は、実施例４においてカバー部材を固定する前の状態について示す図。（ｂ）は、実施例４においてカバー部材を固定した状態について示す図。
【発明を実施するための形態】
【００３２】
以下では、実施の形態を実施例を用いて説明する。
【実施例１】
【００３３】
図１は、本発明の一実施例に係る改装用枠構造１について示す図である。
この図１の例では、建物の開口部１２に設けられた既設枠体４に対し、改装用の改装枠体２を取り付け固定するとともに、この改装枠体２に対して改装ドア３を配設することとするものである。
【００３４】
図１に示すごとく、既設枠体４は、鉛直方向に設けられる左右の既設縦枠材４１・４２と、水平方向に設けられる既設上枠材４３、既設下枠材４４を有している。
【００３５】
また、同様に、図１に示すごとく、改装枠体２は、鉛直方向に設けられる左右の改装縦枠材２１・２２と、水平方向に設けられる改装上枠材２３、改装下枠材２４を有し、四方枠状に枠組みされて構成されている。そして、このように枠組みされた改装枠体２を、既設枠体４に対して取り付け固定するものとする。
【００３６】
次に、構成な詳細について説明する。
図２は、改装枠体２を構成する改装縦枠材２１について、本発明を適用した実施例について示す図である。
この図２の右側に示されるように、開口部１２には、既設枠体４の既設縦枠材４１が配設されている。この既設縦枠材４１は、室外側８に配置される見付部４１ａと、この見付部４１ａにおける開口部１２のセンター側の端部より室内側９に向かって連続する、室外側８の見込部４１ｂと、この室外側８の見込部４１ｂから開口部１２のセンター側に向かって連続する中間部４１ｃと、この中間部４１ｃから室内側９に向かって連続する室内側９の見込部４１ｄと、この室内側９の見込部４１ｄから開口部１２のセンターと反対側に向かって連続する室内部４１ｅと、を有する長尺の枠部材にて構成されている。また、既設縦枠材４１は、見付部４１ａにおける開口部１２のセンターと反対側の端部より室内側９に向かって連続する、折返部４１ｆを有している。
【００３７】
また、同様に、図２の左側に示されるように、開口部１２には、既設枠体４の既設縦枠材４２が配設されている。この既設縦枠材４２は、室外側８に配置される見付部４２ａと、この見付部４２ａにおける開口部１２のセンター側の端部より室内側９に向かって連続する、室外側８の見込部４２ｂと、この室外側８の見込部４２ｂから開口部１２のセンター側に向かって連続する中間部４２ｃと、この中間部４２ｃから室内側９に向かって連続する室内側９の見込部４２ｄと、この室内側９の見込部４２ｄから開口部１２のセンターと反対側に向かって連続する室内部４２ｅと、を有する長尺の部材にて構成されている。また、既設縦枠材４２は、見付部４２ａにおける開口部１２のセンターと反対側の端部より室内側９に向かって連続する、折返部４２ｆを有している。
【００３８】
そして、図２に示すごとく、以上のように構成される既設枠体４の既設縦枠材４１・４２に対し、それぞれ、改装縦枠材２１・２２が固定される。
まず、図において右側の改装縦枠材２１について説明すると、改装縦枠材２１は、既設縦枠材４１の室外側８の見込部４１ｂに対向する室外側８の見込部２１ｂと、この見込部２１ｄから開口部１２のセンター側に向かって連続する中間部２１ｃと、この中間部２１ｃから室内側９に向かって連続する室内側９の見込部２１ｄと、この室内側９の見込部２１ｄの端部に形成される折返部２１ｅと、を有する長尺の部材にて構成されている。
【００３９】
また、図２に示すごとく、室内側９の見込部２１ｄが中間部２１ｃよりも室外側８に延出されることで、見込部２１ｂ・２１ｄの間に、パッキン２１Ｐを嵌入するための凹部２１Ｕが形成されるようになっている。
【００４０】
また、図２に示すごとく、詳しくは後述するが、改装縦枠材２１の見込部２１ｂと、既設縦枠材４１の見込部４１ｂの間には、スペーサー部材５１が挟装され得るようになっており、このスペーサー部材５１を挟装した状態において、固定部材６１によって、改装縦枠材２１が既設縦枠材４１に対して固定される。そして、このように既設縦枠材４１に固定された改装縦枠材２１に対し、カバー部材７が固定される。なお、スペーサー部材５１は、図１に示すごとく、改装縦枠材２１と既設縦枠材４１の間において、上下方向の複数箇所に適宜挟装され得るようになっており、また、各箇所において一枚、若しくは、複数枚が適宜挟装され得るようになっている。
【００４１】
また、図２に示すごとく、このカバー部材７は、既設縦枠材４１の見付部４１ａと対向する見付部７ａと、この見付部７ａにおける開口部１２のセンター側の端部より室内側９に向かって連続する見込部７ｂと、この見込部７ｂと反対側にある見付部７ａの端部より室内側９に向かって連続する折返部７ｃと、を有する長尺の部材にて構成されている。また、カバー部材７の見込部７ｂは、改装縦枠材２１の室外側８の見込部２１ｂよりも、開口部１２のセンター側に配置される。
【００４２】
また、図２に示すごとく、このカバー部材７の見込部７ｂが、改装縦枠材２１の室外側８の見込部２１ｂに対して、固定部材６２によって固定される。そして、このような固定の形態により、改装ドア３を閉じた状態で形成されるカバー部材７の外観（見付部７ａ）には、固定部材６２が現れないため、カバー部材７の見付部７ａによって形成される意匠の美観が固定部材６２によって損なわれるという不具合がない。なお、この点について、従来技術で述べた特許文献２の構成においては、改装枠の室外側８に現れるフランジ部をビスなどの固定部材で室外側８から固定しているため、この固定部材が外観に現れてしまうことになる。
【００４３】
また、図２に示すごとく、カバー部材７の折返部７ｃと、既設縦枠材４１の折返部４１ｆの間の隙間、及び、折返部７ｃと建物壁面１３との間の隙間を埋めるために、コーキング剤１０Ｒが充填されるようになっている。
【００４４】
また、図２において左側の改装縦枠材２２は、既設縦枠材４２の見付部４２ａと対向する見付部２２ａと、既設縦枠材４２の室外側８の見込部４２ｂに対向する室外側８の見込部２２ｂと、この見込部２２ｄから開口部１２のセンター側に向かって連続する中間部２２ｃと、この中間部２２ｃから室内側９に向かって連続する室内側９の見込部２２ｄと、この室内側９の見込部２２ｄの端部に形成される折返部２２ｅと、を有する長尺の部材にて構成されている。
【００４５】
また、図２に示すごとく、室内側９の見込部２２ｄが中間部２２ｃよりも室外側８に延出されることで、見込部２２ｂ・２２ｂの間に、パッキン２２Ｐを嵌入するための凹部２２Ｕが形成されるようになっている。
【００４６】
また、図２に示すごとく、改装縦枠材２２は、見付部２２ａにおける見込部２２ｂと反対側の端部より室内側９に向かって連続する折返部２２ｈと、を有している。
【００４７】
そして、図２に示すごとく、以上の構成の改装縦枠材２２の室外側８の見込部２２ｂが、既設縦枠材４２の室外側８の見込部４２ｂに対して、固定部材６３・６３によって固定されている。また、見込部４２ｂと見込部２２ｂの間には、適宜、補強部材６４が配設され得る。この補強部材６４は、予め溶接などで改装縦枠材２２の見込部２２ｂ側、若しくは、既設縦枠材４２の見込部４２ｂ側に固定されることができる。また、改装縦枠材２２の折返部２２ｈと、既設縦枠材４２の折返部４２ｆの間の隙間、及び、折返部２２ｆと建物壁面１３との間の隙間を埋めるために、コーキング剤１０Ｌが充填されるようになっている。
【００４８】
また、図２に示すごとく、改装縦枠材２２の室外側８の見込部２２ｂには、改装ドア３の蝶番３１が固定される。このようにして、図において左側に配置される改装縦枠材２２が配設される側が改装ドア３の吊元側となり、図２において右側に配置される改装縦枠材２１がされる側が改装ドア３の戸先側となる。
【００４９】
次に、図１乃至図３を用いて改装の手順について説明する。
図１に示すごとく、建物の開口部１２には、図示せぬ既設のドアが取外されることにより、既設枠体４のみが残された状態となっている。この既設枠体４に取り囲まれた開口部４Ａに、枠組みされた改装枠体２が室外側８から挿入される。
【００５０】
そして、図２に示すごとく、左側の既設縦枠材４２に対して、改装縦枠材２２が対向して配置された状態において、固定部材６３・６３により改装縦枠材２２を既設縦枠材４２に固定する。この状態において、改装枠体２において図における左側の吊元側の位置決めが行われる。また、図１に示される既設上枠材４３、既設下枠材４４に対し、改装上枠材２３、改装下枠材２４が適宜固定される。
【００５１】
次に、図３（ａ）〜（ｃ）に示すごとく、戸先側の改装縦枠材２１については、次のような手順にて作業が行われる。
まず、図３（ａ）に示すごとく、室外側８から室内側９へと改装縦枠材２１を移動させ、既設縦枠材４１に対して改装縦枠材２１を対向させた状態とする。そして、この状態において、改装縦枠材２１に形設された孔２１ｓに対して固定部材６１を挿入し、さらに、既設縦枠材４１に形設された孔４１ｓに対して固定部材６１を螺挿することにより、図３（ｂ）に示すごとく、改装縦枠材２１を既設縦枠材４１に対して仮固定させた状態とする。
【００５２】
また、図３（ｂ）に示すごとく、改装縦枠材２１を既設縦枠材４１に対して仮固定した状態では、改装縦枠材２１の外周面２１ａと、既設縦枠材４１の見込部４１ｂとの間に隙間５が形設されるようになっている。そして、この隙間５は、室外側８に開放されて開放部６が形設されるようになっている。
【００５３】
そして、図３（ｂ）に示すごとく、以上のようにして形設される隙間５に対し、開放部６を通してスペーサー部材５１を挿入する。このスペーサー部材５１は、隙間５の幅寸法に応じて、一枚、若しくは、複数枚といったように、適宜、利用される枚数が選択され得る。即ち、現場での改装時に始めて確認される隙間５の状況に応じて、スペーサー部材５１の利用を選定できるのである。これは、既設枠体４の形状は、経年による撓みなどの発生により、現場において様々であり、現場の状況に合わせて適宜調整をする必要があるためである。また、ここでの調整作業は、隙間５の状況を目視確認しながら行うことが可能であるため、作業性が良好なものとなる。
【００５４】
そして、図３（ｂ）に示すごとく、改装縦枠材２１が可能な限り垂直に配設されるように、スペーサー部材５１を利用して調整を行う。この調整の際には、適宜、もう一方の改装縦枠材２２（図２参照）の固定を緩めるなども行い、調整が完了したら、仮固定の状態としていた固定部材６１を全て螺挿させて、固定を完了させる。
【００５５】
なお、図１に示すごとく、スペーサー部材５１による調整は、改装縦枠材２１の上下方向における複数箇所において適宜実施されるものであって、このように、複数箇所において適宜実施されることとすることで、細かな調整を行うことが可能となる。また、現場の状況によっては、スペーサー部材５１を利用しないことも可能である。また、開放部６が形成されているため、一度挿入したスペーサー部材５１を全て引き抜いて、最初から調整作業をやり直すといったこもと可能である。
【００５６】
また、図３（ｂ）に示すごとく、スペーサー部材５１には、略Ｕ字の切欠部５１ａを有する略板状の部材であって、前記切欠部５１ａに、固定部材６１の軸部６１ａが挿入されるようになっている。これにより、スペーサー部材５１を挿入する際には、切欠部５１ａの端面が固定部材６１の軸部６１ａに当接することによって、スペーサー部材５１の挿入を停止させることができ、スペーサー部材５１の挿入停止位置を規定することが可能となる。また、切欠部５１ａの端面が固定部材６１の軸部６１ａに引っかかるようにして吊り下げた状態とすることもでき、作業時において、スペーサー部材５１の落下を防止することが可能となる。なお、切欠部５１ａの形状については、略Ｕ字とするほか、略コ字状とするなど、一端が開放された溝状の切欠きとすることが好ましいが、単なる、孔形状であってもよい。このような孔形状である場合には、この孔に合わせるようにして固定部材６１ａを挿入することが必要となり、また、スペーサー部材を引き抜く際には、固定部材６１ａを一度取外すことが必要となる。
【００５７】
次に、図３（ｃ）に示すごとく、カバー部材７を用意し、カバー部材７の見込部７ｂを、改装縦枠材２１の室外側８の見込部２１ｂに当接させるように配置する。そして、カバー部材７に形設された孔７ｓに対して固定部材６２を挿入し、さらに、改装縦枠材２１に形設された孔２１ｒに対して固定部材６２を螺挿することにより、図２の右側に示すごとく、カバー部材７の取付を完了することができる。
【００５８】
以上のように、図１に示すごとく、改装枠体２（改装縦枠材２１・２２）を既設枠体４（既設縦枠材４１・４２）に固定した状態とし、さらに、カバー部材７を改装縦枠材２１に取り付けた状態として、改装枠体２の取付を完了させる。そして、改装ドア３を改装縦枠材２２に固定することにより、改装ドア３の取付を完了することができ、これにより、一連の改装作業を完了することができる。
【００５９】
以上が実施例１の形態である。即ち、図１乃至図３に示すごとく、
建物の開口部１２に設けられた既設枠体４に対し、改装用の改装枠体２を取り付け固定するための開口部装置の改装用枠構造１であって、
前記改装枠体２を構成する少なくとも一つの改装枠材（本実施例では、改装縦枠材２１）の外周面２１ａと、前記外周面２１ａと対向する既設枠体４の既設枠材（本実施例では、既設縦枠材４１）の見込部４１ｂとの間に形成される隙間５には、
前記改装縦枠材２１の前記既設縦枠材４１に対する配設角度を調整するためのスペーサー部材５１が挟装され得るものであり、
前記改装縦枠材２１は、前記隙間５を少なくとも室内側９、又は、室外側８の一方（本実施例では室外側８）に開放させる開放部６が形成される構成としており、
前記改装枠体２を前記既設枠体４の内側に納めた状態において、前記隙間５に対し、前記開放部６を通して、前記スペーサー部材５１の挿入を可能とするものである。
【００６０】
このような構成により、隙間５の状況を目視確認しながら、スペーサー部材５１を用いた改装枠体２の配設角度の調整作業が可能であることから、作業性が良好なものとなり、改装作業を短時間で完了することができる。また、下地部材が不要であることから、この下地部材の製作コストや、取付作業の手間もかかることがない。
【００６１】
また、図１乃至図３に示すごとく、前記開放部６を覆い隠すためのカバー部材７が、前記改装縦枠材２１に固定される、こととするものである。
【００６２】
このような構成により、前記開放部６が覆い隠されて、カバー部材７による外観意匠を構成することが可能となる。
【００６３】
また、図２及び図３に示すごとく、前記カバー部材７は、前記既設縦枠材４１の見込部４１ｂに対して固定される、こととするものである。
【００６４】
このような構成により、改装ドア３を閉じた状態では、カバー部材７を固定するための固定部材６２が外観に現れないため、カバー部材７によって形成される意匠の美観が固定部材６２によって損なわれるという不具合がない。
【００６５】
また、図３（ｂ）に示すごとく、前記スペーサー部材５１は、略板状の部材とするものである。
【００６６】
このような構成により、適宜、利用するスペーサー部材５１の枚数を設定することで、現場の状況に応じて、改装枠体２の配設角度の調整作業を容易に行うことが可能となる。
【００６７】
また、前記スペーサー部材５１は、切欠部５１ａを有し、前記切欠部５１ａに、前記改装縦枠材２１を前記既設縦枠材４１に固定するための固定部材６１の軸部６１ａが挿入される、こととするものである。
【００６８】
このような構成により、作業時において、スペーサー部材５１の挿入停止位置の規定や、スペーサー部材５１の落下を防止することが可能となる。
【００６９】
なお、図４（ａ）に示されるように、スペーサー部材５１は略板状のものとするほか、図４（ｂ）に示すスペーサー部材５１Ｓのように、略板状としつつ略Ｕ字の切欠部５１ｓの開口端に近づくほど厚みが薄くなるように断面を三角形状とすることや、図４（ｃ）に示すスペーサー部材５１Ｕのように、略Ｕ字の切欠部５１ｕの開口端側の端部５１ｖにおいて、この端部５１ｖの厚みが切欠部５１ｕの開口端に近づくほど薄くなるように断面を三角形状（端部５１ｖのみ断面のみが三角形状）としてもよい。このように、略Ｕ字の切欠部の開口端側、つまりは、スペーサー部材を挿入する際の先端側の厚みを薄くすることによれば、上述した隙間が狭い場合において、スペーサー部材の挿入作業が行い易くなる。
【００７０】
また、以上の構成による改装方法は、以下のごとくである。
即ち、図１乃至図３に示すごとく、
建物の開口部１２に設けられた既設枠体４に対し、改装用の改装枠体２を取り付け固定するための開口部装置の改装方法であって、
前記改装枠体２を、前記既設枠体４にて形成される開口部４Ａに挿入する工程と、
前記改装枠体２を構成する少なくとも一つの改装枠材（本実施例では、改装縦枠材２１）の外周面２１ａと、前記外周面２１ａと対向する既設枠体４の既設枠材（本実施例では、既設縦枠材４１）の見込部４１ｂとの間に形成される隙間５の開放部６を通して、前記隙間５に対してスペーサー部材５１を挿入する工程と、
を有する、改装方法とするものである。
【００７１】
また、図１乃至図３に示すごとく、前記開放部６を覆い隠すためのカバー部材７を、前記改装縦枠材２１に固定する工程を、さらに含む改装方法とするものである。
【００７２】
また、図２及び図３に示すごとく、前記カバー部材７は、前記既設縦枠材４１の見込部４１ｂに対して固定される、こととするものである。
【００７３】
また、図３（ｂ）に示すごとく、前記スペーサー部材５１は、略板状の部材とするものである。
【００７４】
また、前記スペーサー部材５１は、切欠部５１ａを有し、前記切欠部５１ａに、前記改装縦枠材２１を前記既設縦枠材４１に固定するための固定部材６１の軸部６１ａが挿入される、こととするものである
【００７５】
なお、以上の実施例においては、図２における上側を室外側８、下側を室内側９としたが、上側が室内側、下側が室外側とされる箇所においても実施可能である。
【００７６】
また、以上の実施例においては、図１に示すごとく、既設枠体４及び改装枠体２が四方枠として構成されるが、三方枠として構成されるものについても、本発明は適用可能である。
【００７７】
また、図５に示すごとく、以上の実施例において、カバー部材７の上端部７ｕを、改装上枠材２３の正面２３ａ、側面２３ｃ、天面２３ｕに囲まれる空間内に収容する形態とすることが、カバー部材７の内部への雨水などの浸入を防止する上で好ましい。つまり、カバー部材７の上部を、改装上枠材２３にて塞ぐこととするものである。
【００７８】
また、以上の実施例においては、図３（ｂ）に示すごとく、改装縦枠材２１の外周面２１ａと、既設縦枠材４１の見込部４１ｂとの間に隙間５を形設するとともに、改装縦枠材２１の見込部２１ｂを既設縦枠材４１の見込部４１ｂが略平行に配置されることによって、簡易な構成によって開放部６が形設されることとしている。この他にも、図６に示すごとく、見込部２１ｂの室外側８端面を図において右側へ折り曲げて見付部２１ｍを形設し、この見付部２１ｍと見込部２１ｂの隅部に切欠部２１ｎを設けるなどして、この切欠部２１ｎからスペーサー部材５１を隙間５２に挿入可能としてもよい。
【００７９】
また、以上の実施例においては、図２に示すごとく、改装縦枠材２１の室内側９の折返部２１ｅと既設縦枠材４１の間の隙間７０に、コーキング剤１４Ｒを充填することで、隙間７０を塞ぐこととしているが、この他にも、図７に示すごとく、断面視略Ｌ字状とする上下方向に長い隅部材７１を、改装縦枠材２１に固定することで、隙間７０を隅部材７１によって塞ぐこととしてもよい。なお、この隅部材７１は、図示せぬ固定部材により既設縦枠材４１に対して固定することとしてもよく、また、改装縦枠材２１、及び、既設縦枠材４１の両方に対して固定することとしてもよい。
【実施例２】
【００８０】
以上の実施例１においては、図２に示すごとく、戸先側の改装縦枠材２１について、隙間５を形設し、スペーサー部材５１を挿入することにより、改装枠体２の配設角度の調整作業を行う構成とした。この他にも、図８（ａ）に示すごとく、吊元側の改装縦枠材２２Ａについて、既設縦枠材４２の間に隙間５Ａを形設し、この隙間５Ａについてスペーサー部材５１Ａを挿入することで、改装枠体２Ａの配設角度の調整作業を行う構成としてもよい。そして、図８（ｂ）に示すごとく、カバー部材７Ａを改装縦枠材２２Ａに取り付けた後に、このカバー部材７Ａに対して、改装ドアの蝶番３１を固定する形態とすることができる。
【実施例３】
【００８１】
また、同様に、図９（ａ）に示すごとく、改装上枠材２３について、既設上枠材４３の間に隙間５Ｂを形設し、この隙間５Ｂについてスペーサー部材５１Ｂを挿入することで、改装枠体２Ｂの配設角度の調整作業を行う構成としてもよい。そして、図９（ｂ）に示すごとく、カバー部材７Ｂを改装上枠材２３に取り付けることで、作業完了とすることができる。
【実施例４】
【００８２】
また、同様に、図１０（ａ）に示すごとく、改装下枠材２４について、既設下枠材４４の間に隙間５Ｃを形設し、この隙間５Ｃについてスペーサー部材５１Ｃを挿入することで、改装枠体２Ｃの配設角度の調整作業を行う構成としてもよい。そして、図９（ｂ）に示すごとく、カバー部材７Ｃを改装下枠材２４に取り付けることで、作業完了とすることができる。
【００８３】
さらに、以上の各実施例は、単独で実施する形態とするほか、二つ以上の実施例を組み合わせた実施形態とすることもできる。
即ち、実施例１と実施例２の組合せにより、戸先側と吊元側の両方において、角度調整を行うとともに、両方にカバー部材が配置される構成とすることや、全ての実施例を組み合わせることとして、４辺の全てにおいて角度調整が行われるとともに、４辺の全てにおいてカバー部材が配設される構成としてもよい。
【００８４】
また、以上の実施例では、片開きドアを改装する例を用いて説明したが、開口部に設置される装置の改装枠体の設置について本発明を適用することができる。例えば、片開きドアの他にも、両開きドア、引き違いドア、サッシ、シャッター、格子、など、様々な装置について、本発明は適用できるのである。
【産業上の利用可能性】
【００８５】
本発明は、建物の開口部に設けられるドアやサッシなど開口部装置を改装するための技術として利用することができる。
【符号の説明】
【００８６】
１    改装用枠構造
２    改装枠体
３    改装ドア
４    既設枠体
４Ａ    開口部
５    隙間
６    開放部
７    カバー部材
８    室外側
９    室内側
２１    改装縦枠材
２１ａ    外周面
４１    既設縦枠材
４１ｂ    見込部
５１    スペーサー部材
５１ａ    切欠部
【図１】
2010255331.tif 000003
【図２】
2010255331.tif 000004
【図３】
2010255331.tif 000005
【図４】
2010255331.tif 000006
【図５】
2010255331.tif 000007
【図６】
2010255331.tif 000008
【図７】
2010255331.tif 000009
【図８】
2010255331.tif 000010
【図９】
2010255331.tif 000011
【図１０】
2010255331.tif 000012